(57)【要約】【課題】高い精度で所定の幅を切断することのできるハサミを提供する。【解決手段】  ハサミは、それぞれの端部に刃が形成された、第一刃体、第二刃体、第三刃体、及び第四刃体と、第一刃体と第二刃体とを相対的に回転可能に連結する第一連結部と、第三刃体と第四刃体とを相対的に回転可能に連結する第二連結部と、第二刃体及び第三刃体に対して相互に対向する方向に連結するように形成された第一スペーサ部及び第三スペーサ部と、第一刃体及び第四刃体に対して相互に対向する方向に連結するように形成された第二スペーサ部とを備える。第二刃体及び第三刃体は、第一刃体及び第四刃体の内側に配置されており、第二刃体に刃が形成されている領域と、第三刃体に刃が形成されている領域とが相互に対向しており、第一刃体に刃が形成されている領域と、第四刃体に刃が形成されている領域は、共に外側に位置している。【選択図】        図１
2018033804.tif 000002
【特許請求の範囲】
【請求項１】
それぞれの端部に刃が形成された、第一刃体、第二刃体、第三刃体、及び第四刃体と、
前記第一刃体と前記第二刃体とを相対的に回転可能に連結する第一連結部と、
前記第三刃体と前記第四刃体とを相対的に回転可能に連結する第二連結部と、
前記第二刃体及び前記第三刃体に対し、刃が形成されている側とは反対側の端部で連結された第一把持部と、
前記第一刃体及び前記第四刃体に対し、刃が形成されている側とは反対側の端部で連結された第二把持部と、
前記第一連結部及び前記第二連結部と前記第一把持部との間の位置に配置されており、前記第二刃体及び前記第三刃体に対して相互に対向する方向に連結するように形成された第一スペーサ部と、
前記第一連結部及び前記第二連結部と前記第二把持部との間の位置に配置されており、前記第一刃体及び前記第四刃体に対して相互に対向する方向に連結するように形成された第二スペーサ部と、
前記第一連結部及び前記第二連結部を基準として前記第一把持部とは反対側に配置されており、前記第二刃体及び前記第三刃体に対して相互に対向する方向に連結するように形成された第三スペーサ部とを備え、
前記第二刃体及び前記第三刃体は、前記第一刃体及び前記第四刃体の内側に配置されており、
前記第二刃体に刃が形成されている領域と、前記第三刃体に刃が形成されている領域とが相互に対向しており、
前記第一刃体に刃が形成されている領域と、前記第四刃体に刃が形成されている領域は、共に外側に位置していることを特徴とするハサミ。
【請求項２】
それぞれの端部に刃が形成された、第一刃体、第二刃体、第三刃体、及び第四刃体と、
前記第一刃体と前記第二刃体とを相対的に回転可能に連結する第一連結部と、
前記第三刃体と前記第四刃体とを相対的に回転可能に連結する第二連結部と、
前記第二刃体及び前記第三刃体に対し、刃が形成されている側とは反対側の端部で連結された第一把持部と、
前記第一刃体及び前記第四刃体に対し、刃が形成されている側とは反対側の端部で連結された第二把持部と、
前記第一連結部及び前記第二連結部と前記第一把持部との間の位置に配置されており、前記第二刃体及び前記第三刃体に対して相互に対向する方向に連結するように形成された第一スペーサ部と、
前記第一連結部及び前記第二連結部と前記第二把持部との間の位置に配置されており、前記第一刃体及び前記第四刃体に対して相互に対向する方向に連結するように形成された第二スペーサ部と、
前記第一連結部及び前記第二連結部を基準として前記第二把持部とは反対側に配置されており、前記第一刃体及び前記第四刃体に対して相互に対向する方向に連結するように形成された第三スペーサ部とを備え、
前記第二刃体及び前記第三刃体は、前記第一刃体及び前記第四刃体の内側に配置されており、
前記第二刃体に刃が形成されている領域と、前記第三刃体に刃が形成されている領域とが相互に対向しており、
前記第一刃体に刃が形成されている領域と、前記第四刃体に刃が形成されている領域は、共に外側に位置していることを特徴とするハサミ。
【請求項３】
前記第三スペーサ部は、前記第一連結部及び前記第二連結部の位置から、前記第二刃体及び前記第三刃体の先端に向かう方向に離間して、複数の箇所に設けられていることを特徴とする請求項１に記載のハサミ。
【請求項４】
前記第三スペーサ部は、前記第一連結部及び前記第二連結部の位置から、前記第一刃体及び前記第四刃体の先端に向かう方向に離間して、複数の箇所に設けられていることを特徴とする請求項２に記載のハサミ。
【請求項５】
前記第二スペーサ部は、前記第一連結部及び前記第二連結部の位置における前記第一前記第一刃体と前記第四刃体との間の間隔よりも、当該第二スペーサ部が配置されている位置における前記第一刃体と前記第四刃体との間の間隔が拡がるように長さが設定されていることを特徴とする請求項１〜４のいずれか１項に記載のハサミ。
【発明の詳細な説明】
【技術分野】
【０００１】
本発明は、ハサミに関し、特に定められた幅で切断するために用いられるハサミに関する。
【背景技術】
【０００２】
ヒートシール技術は、種々の商品を包装する際に広く利用されている。これは、プラスチックなどで構成されたフィルムを加熱して熱融着することで密閉化する技術である。
【０００３】
ところで、シーリングを行った後であっても、十分な強度が保たれていなければ完全な密閉状態が実現されたことにはならず、好ましくない。そこで、ヒートシール後の包装袋の強度の試験が、下記非特許文献１のＪＩＳ規格に規定されている。
【先行技術文献】
【非特許文献】
【０００４】
【非特許文献１】ＪＩＳ Ｚ  ０２３８
【発明の概要】
【発明が解決しようとする課題】
【０００５】
上記非特許文献１の規格によれば、対象となる試験片の幅が15.0±0.1ｍｍと規定されており、少なくとも15.0mmをセンターとして僅かな誤差を有する幅の試験片を用いるのが好ましいとされている。
【０００６】
この規格に基づく強度試験を行うにあたり、一般的にはフィルムに定規を当てて、カッターナイフで切り出す方法が行われている。この方法で試験片を作成した場合、試験片の幅には不可避的にばらつきが発生する。これまでは、この程度のばらつきは許容範囲内であると考えられていた。その理由は以下の２点にある。
【０００７】
通常、正しく熱融着された包材は、当該規格で参考値として挙げられている各ケースで必要とされるヒートシール強さに対し、十分に高い値（例えば２倍を超える）を示す。シール強さの値は試験片の幅にほぼ比例すると考えられる。従って、実務的には、僅かな幅のバラツキは許容できる。
【０００８】
しかし、上記の事情は、要求強度と試験結果の差が十分に大きい場合に限って考慮されるべきものである。つまり、試験結果が要求される強度に近い場合には、実際の強度が要求される強度を下回ってしまうおそれがある。すなわち、シール強度を正しく評価する観点からは、なるべく要求される幅の試験片を作成し、その試験片を用いて強度測定をするのが好ましい。
【０００９】
また、定規とカッターを用いてフィルムを切断するのは、作業的には煩わしい。他方、一般のハサミを使ってフィルムを切断しようとした場合、切断時にフィルムが容易に変形するため、正しい幅で切断することが困難である。つまり、フィルムにハサミを入れたときの、ハサミの先端部に位置するフィルムの幅と、ハサミの根元部分に位置するフィルムの幅が異なってしまうことがある。
【００１０】
本発明は、上記の課題に鑑み、高い精度で所定の幅を切断することのできるハサミを提供することを目的とする。
【課題を解決するための手段】
【００１１】
本発明に係るハサミは、
それぞれの端部に刃が形成された、第一刃体、第二刃体、第三刃体、及び第四刃体と、
前記第一刃体と前記第二刃体とを相対的に回転可能に連結する第一連結部と、
前記第三刃体と前記第四刃体とを相対的に回転可能に連結する第二連結部と、
前記第二刃体及び前記第三刃体に対し、刃が形成されている側とは反対側の端部で連結された第一把持部と、
前記第一刃体及び前記第四刃体に対し、刃が形成されている側とは反対側の端部で連結された第二把持部と、
前記第一連結部及び前記第二連結部と前記第一把持部との間の位置に配置されており、前記第二刃体及び前記第三刃体に対して相互に対向する方向に連結するように形成された第一スペーサ部と、
前記第一連結部及び前記第二連結部と前記第二把持部との間の位置に配置されており、前記第一刃体及び前記第四刃体に対して相互に対向する方向に連結するように形成された第二スペーサ部と、
前記第一連結部及び前記第二連結部を基準として前記第一把持部とは反対側に配置されており、前記第二刃体及び前記第三刃体に対して相互に対向する方向に連結するように形成された第三スペーサ部とを備え、
前記第二刃体及び前記第三刃体は、前記第一刃体及び前記第四刃体の内側に配置されており、
前記第二刃体に刃が形成されている領域と、前記第三刃体に刃が形成されている領域とが相互に対向しており、
前記第一刃体に刃が形成されている領域と、前記第四刃体に刃が形成されている領域は、共に外側に位置していることを特徴とする。
【００１２】
また、本発明に係るハサミは、
それぞれの端部に刃が形成された、第一刃体、第二刃体、第三刃体、及び第四刃体と、
前記第一刃体と前記第二刃体とを相対的に回転可能に連結する第一連結部と、
前記第三刃体と前記第四刃体とを相対的に回転可能に連結する第二連結部と、
前記第二刃体及び前記第三刃体に対し、刃が形成されている側とは反対側の端部で連結された第一把持部と、
前記第一刃体及び前記第四刃体に対し、刃が形成されている側とは反対側の端部で連結された第二把持部と、
前記第一連結部及び前記第二連結部と前記第一把持部との間の位置に配置されており、前記第二刃体及び前記第三刃体に対して相互に対向する方向に連結するように形成された第一スペーサ部と、
前記第一連結部及び前記第二連結部と前記第二把持部との間の位置に配置されており、前記第一刃体及び前記第四刃体に対して相互に対向する方向に連結するように形成された第二スペーサ部と、
前記第一連結部及び前記第二連結部を基準として前記第二把持部とは反対側に配置されており、前記第一刃体及び前記第四刃体に対して相互に対向する方向に連結するように形成された第三スペーサ部とを備え、
前記第二刃体及び前記第三刃体は、前記第一刃体及び前記第四刃体の内側に配置されており、
前記第二刃体に刃が形成されている領域と、前記第三刃体に刃が形成されている領域とが相互に対向しており、
前記第一刃体に刃が形成されている領域と、前記第四刃体に刃が形成されている領域は、共に外側に位置していることを特徴とする。
【００１３】
前記第三スペーサ部が前記第二刃体及び前記第三刃体に対して相互に対向する方向に連結するように形成されている場合、当該第三スペーサ部は、前記第一連結部及び前記第二連結部の位置から、前記第二刃体及び前記第三刃体の先端に向かう方向に離間して、複数の箇所に設けられているものとしても構わない。同様に、前記第三スペーサ部が前記第一刃体及び前記第四刃体に対して相互に対向する方向に連結するように形成されている場合、当該第三スペーサ部は、前記第一連結部及び前記第二連結部の位置から、前記第一刃体及び前記第四刃体の先端に向かう方向に離間して、複数の箇所に設けられているものとしても構わない。
【００１４】
前記第二スペーサ部は、前記第一連結部及び前記第二連結部の位置における前記第一刃体と前記第四刃体との間の間隔よりも、当該第二スペーサ部が配置されている位置における前記第一刃体と前記第四刃体との間の間隔が拡がるように長さが設定されている
【発明の効果】
【００１５】
本発明のハサミによれば、高い精度で所定の幅を切断することが可能となる。
【図面の簡単な説明】
【００１６】
【図１】一実施形態に係るハサミの模式的な斜視図である。
【図２】一実施形態に係るハサミの模式的な平面図である。
【図３】一実施形態に係るハサミの模式的な正面図である。
【図４】ハサミで試験片を切断する様子を示す模式的な図面である。
【図５】別実施形態に係るハサミの模式的な斜視図である。
【発明を実施するための形態】
【００１７】
本発明に係るハサミの実施形態につき、図面を参照して説明する。なお、以下の図面において、図面上の寸法比と実際の寸法比は必ずしも一致しない。
【００１８】
図１は、本発明に係るハサミの一実施形態の模式的な斜視図である。図２は、本発明に係るハサミの模式的な平面図である。図３は、本発明に係るハサミの模式的な正面図である。なお、各図面において、図示の都合上、隠れて表示されない要素には、カッコ書きで符号を付している。
【００１９】
図１〜図３に示すハサミ１は、第一刃体１０、第二刃体２０、第三刃体３０、及び第四刃体４０を有する。第一刃体１０の端部には刃１１が設けられている。第二刃体２０の端部には刃２１が設けられている。第三刃体３０の端部には刃３１が設けられている。第四刃体４０の端部には刃４１が設けられている。
【００２０】
ハサミ１は、第一刃体１０と第二刃体２０とを相対的に回転可能に連結する第一連結部３、及び、第三刃体３０と第四刃体４０とを相対的に回転可能に連結する第二連結部５を備える。第二刃体２０は、第一刃体１０よりも内側に配置されており、第三刃体３０は、第四刃体４０よりも内側に配置されている。
【００２１】
図２は、ハサミ１を第一連結部３側から見たときの平面図に対応する。すなわち、図２には、第一刃体１０及び第二刃体２０が図示されており、第二連結部５、第三刃体３０、及び第四刃体４０は紙面の裏側に現れるため、図示されていない。
【００２２】
第一刃体１０の刃１１は、第一刃体１０の面であって、第二刃体２０とは反対側の面、すなわち外側の面に設けられている。第二刃体２０の刃２１は、第二刃体２０の面であって、第一刃体１０とは反対側の面、すなわち、第三刃体３０に対向する側の面に設けられている。第三刃体３０の刃３１は、第三刃体３０の面であって、第四刃体４０とは反対側の面、すなわち、第二刃体２０に対向する側の面に設けられている。第四刃体４０の刃４１は、第四刃体４０の面であって、第三刃体３０とは反対側の面、すなわち外側の面に設けられている。
【００２３】
ハサミ１は、第二刃体２０及び第三刃体３０に対し、刃（２１，３１）が形成されている側とは反対側の端部で連結された第一把持部５１、及び、第一刃体１０及び第四刃体４０に対し、刃（１１，４１）が形成されている側とは反対側の端部で連結された第二把持部５２とを有する。
【００２４】
ハサミ１は、連結部（３，５）と第一把持部５１との間の位置に配置され、第二刃体２０及び第三刃体３０に対して相互に対向する方向に連結するように形成された第一スペーサ部６１を有する。
【００２５】
ハサミ１は、連結部（３，５）と第二把持部５２との間の位置に配置されており、第一刃体１０及び第四刃体４０に対して相互に対向する方向に連結するように形成された第二スペーサ部６２を有する。
【００２６】
ハサミ１は、連結部（３，５）を基準として第一把持部５１とは反対側に配置されており、第二刃体２０及び第三刃体３０に対して相互に対向する方向に連結するように形成された第三スペーサ部６３を有する。本実施形態のハサミ１は、連結部（３，５）の位置から刃先に向かう方向に離間した２箇所に第三スペーサ部６３を有している。この第三スペーサ部６３は、シムなどで寸法を微細に調整することが可能に構成されているものとしても構わない。
【００２７】
図３は、第二把持部５２を正面にしてハサミ１を見た時の正面図に対応する。このため、図３には第三スペーサ部６３が正面側に現れている。図３において、第二把持部５２の裏側には第一把持部５１が存在し、この第一把持部５１に指を掛けて動かすと、第三スペーサ部６３によって連結された第二刃体２０及び第三刃体３０が一体として図３の紙面手前に向けて回転移動する。
【００２８】
次に、ハサミ１を用いて切断するときの状態について説明する。図４は、ハサミ１を用いてヒートシール後のフィルム８を切断するときの様子を模式的に示している。ハサミ１は、ヒートシール後のフィルムのシーリング強度を測定するための試験片を作成するための用途に用いられる。「発明が解決しようとする課題」の項で上述したように、この強度試験を行うに際しては、試験片の幅が規定されており、この条件を満たすように試験片を切断することが好ましい。
【００２９】
なお、図４において、フィルム８においてシーリングされている領域を符号９で図示している（クロスハッチング領域）。また、図４では、フィルム８の裏側に隠れてしまう刃体（１０，４０）を破線にて図示している。
【００３０】
第一把持部５１と第二把持部５２とに指を掛けてハサミ１を動かすと、第一刃体１０と第二刃体２０が第一連結部３を基準として開閉し、同時に、第三刃体３０と第四刃体４０が第二連結部５を基準として開閉する。内側に配置されている第二刃体２０と第三刃体３０とは第三スペーサ部６３において離間距離が固定されている。外側に配置されている第一刃体１０と第四刃体４０とは、第一スペーサ部６１において連結されると共に、上記連結部（３，５）によって、それぞれ第二刃体２０及び第三刃体３０とも連結されている。
【００３１】
この結果、内側に位置する第二刃体２０及び第三刃体３０は、第三スペーサ部６３によって定められる間隔を有したまま、それぞれ第一刃体１０及び第四刃体４０に対して開閉動作を行う。また、外側に配置されている第一刃体１０は、内側に配置された第二刃体２０と第一連結部３において連結されており、外側に配置されている第四刃体４０は、内側に配置された第三刃体３０と第二連結部５において連結されている。更に、第一刃体１０と第四刃体４０は、第二スペーサ部６２によっても連結されている。
【００３２】
つまり、この構成によれば、外側に配置されている第一刃体１０と第四刃体４０とによって、内側に配置されている第二刃体２０と第三刃体３０とを押さえつけながら、各刃体が開閉される構成となる。第一刃体１０及び第二刃体２０からなる第一の部分ハサミによって切断される箇所と、第三刃体３０及び第四刃体４０からなる第二の部分ハサミによって切断される箇所の間には、第三スペーサ部６３によって決定される所定の間隔が設けられる。
【００３３】
そして、上述したように、内側に配置される第二刃体２０と第三刃体３０にはそれぞれ内側の箇所に刃（２１，３１）が設けられており、外側に配置される第一刃体１０と第四刃体４０には外側の箇所に刃（１１，４１）が設けられている。このことは、いわば右利き用のハサミ部分と、左利き用のハサミ部分を対向して配置させている状況に近い。このような構成とすることで、外側に配置される刃体（１０，４０）と内側に配置される刃体（２０，３０）との密着性を確保できる。
【００３４】
仮に、右利き用のハサミ同士を対向して配置させた場合、把持部に指を掛けて動かすと、一方のハサミについては、外側の刃体から内側の刃体に向かう力が作用するものの、他方のハサミについては逆に内側の刃体から外側の刃体に向かう力が作用する。この場合、後者のハサミは、外側の刃体と内側の刃体の密着を低下させる向きに力が働いてしまう。この結果、一定の幅で切断することが難しくなってしまう。左利き用のハサミ同士を対向して配置させた場合についても同様である。
【００３５】
上記の構成によれば、第一把持部５１及び第二把持部５２に指を掛けて動かすと、外側に配置された２つの刃体（１０，４０）は、いずれも内側に配置された刃体（２０，３０）に向かう力が作用するため、それぞれの刃体の密着性が維持される。この結果、第三スペーサ部６３によって定められた幅で、シーリング後のフィルム８を切断することが可能となり、規定の幅ｄを有する試験片を作成できる（図４参照）。図４において、ハサミ１によってフィルム８を切断したときの切断線を符号７１によって示している。
【００３６】
また、この方法でフィルムを切断する場合には、単にハサミ１を１回可動させるのみでよいため、従来のようにカット幅のラインマーカを入れたり、ガイドを当てながら切断するといった工程が不要となり、作業が容易化される。
【００３７】
更に、上記構成のハサミ１によれば、右利きの人でも左利きの人でも、定められた幅で安定的に切断することができるという効果も奏する。
【００３８】
なお、上記の構成において、第二スペーサ部６２は、連結部（３，５）の位置における第一刃体１０と第四刃体４０との間の間隔よりも、当該第二スペーサ部６２が配置されている位置における第一刃体１０と第四刃体４０との間の間隔が拡がるように長さが設定されているものとしても構わない。このような構成とすることで、外側に配置されている第一刃体１０と第四刃体４０が、刃の先端に向かって反るような状態が形成されるため、内側に配置されている第二刃体２０と第三刃体３０に対する密着力が更に高められる。
【００３９】
［別実施形態］
以下、別の実施形態について説明する。
【００４０】
〈１〉  上述した実施形態では、第三スペーサ部６３が、内側に配置されている第二刃体２０と第三刃体３０との間を連結するように設けられていた。これに対し、外側に配置されている第一刃体１０と第四刃体４０との間を連結するように設けられるものとしても構わない。図５はこのような構成のハサミ１ａを模式的に示す正面図である。
【００４１】
図５は、図３とは異なり、第一把持部５１を正面にしてハサミ１ａを見た時の正面図に対応する。このため、図５には第三スペーサ部６３が正面側に現れている。図５において、第一把持部５１の裏側には第二把持部５２が存在し、この第二把持部５２に指を掛けて動かすと、第三スペーサ部６３によって連結された第一刃体１０及び第四刃体４０が一体として図５の紙面手前に向けて回転移動する。
【００４２】
この構成の下で、把持部（５１，５２）に指を掛けてハサミ１ａを動かした場合、外側に位置する第一刃体１０及び第四刃体４０は、第三スペーサ部６３によって定められる間隔を有したまま、それぞれ第二刃体２０及び第三刃体３０に対して開閉動作を行う。また、内側に配置されている第二刃体２０は、外側に配置された第一刃体１０と第一連結部３において連結されており、内側に配置されている第三刃体３０は、外側に配置された第四刃体４０と第二連結部５において連結されている。更に、第二刃体２０と第三刃体３０は、第一スペーサ部６１によっても連結されている。
【００４３】
よって、上記の実施形態と同様に、第一刃体１０及び第二刃体２０からなる第一の部分ハサミによって切断される箇所と、第三刃体３０及び第四刃体４０からなる第二の部分ハサミによって切断される箇所の間には、第三スペーサ部６３によって決定される所定の間隔が設けられることになる。この結果、第三スペーサ部６３によって定められた幅で、シーリング後のフィルム８を切断することが可能となり、規定の幅を有する試験片を簡易な方法で作成できる。
【００４４】
ただし、上述した実施形態の構成のように、内側の刃体（２０，３０）に第三スペーサ部６３を設けることで、切断後のフィルム８がハサミ１の刃体（１０，２０，３０，４０）の間に残っていた場合であっても、第三スペーサ部６３が設けられていない外側の刃体（１０，４０）の間から指を入れやすいため、より安全に残存フィルムを取り出すことができるという点において、好ましい。
【００４５】
〈２〉  上述した実施形態では、第三スペーサ部６３が連結部（３，５）から刃体の先端の間の位置の２箇所に設けられていたが、３箇所以上設けられていても構わないし、１箇所であっても構わない。第三スペーサ部６３が２箇所以上に設けられた場合、第一刃体１０と第二刃体２０とで構成される部分ハサミと、第三刃体３０と第四刃体４０とで構成される部分ハサミとの離間距離を、安定して保持する機能が更に高められる。
【００４６】
同様に、第一スペーサ部６１及び第二スペーサ部６２においても、３箇所以上に設けられていても構わないし、１箇所であっても構わない。
【００４７】
〈３〉  上述した実施形態のハサミ（１，１ａ）によれば、高い精度を有した状態で所定の幅でフィルム８を切断して試験片を作成することができる。しかし、本発明は、上述したＪＩＳ Ｚ  ０２３８の規格に規定された幅で切断できるハサミに限定する趣旨ではない。ハサミ（１，１ａ）のように、刃体（１０，２０，３０，４０）、連結部（３，５）、把持部（５１，５２）、及びスペーサ部（６１，６２，６３）を有する構成であれば、全て本発明の範囲内である。
【符号の説明】
【００４８】
１，１ａ      ：    ハサミ
３            ：    第一連結部
５            ：    第二連結部
８            ：    フィルム
９            ：    シーリング領域
１０            ：    第一刃体
１１            ：    第一刃体の刃
２０            ：    第二刃体
２１            ：    第二刃体の刃
３０            ：    第三刃体
３１            ：    第三刃体の刃
４０            ：    第四刃体
４１            ：    第四刃体の刃
５１            ：    第一把持部
５２            ：    第二把持部
６１            ：    第一スペーサ部
６２            ：    第二スペーサ部
６３            ：    第三スペーサ部
７１            ：    切断線
【図１】
2018033804.tif 000003
【図２】
2018033804.tif 000004
【図３】
2018033804.tif 000005
【図４】
2018033804.tif 000006
【図５】
2018033804.tif 000007